(57)【要約】【課題】複数のカメラの撮像画像データ（アナログ信号）を一つの伝送線路で送信することができ、居室親機のモニタに容易に複数のカメラの撮像画像データを同時に表示することができる住宅インターホンシステムを提供する。【解決手段】玄関子機１は、カメラ１０１の出力に含まれる所定の信号がカメラ１０１から出力されるタイミングに基づいて、第１バッファ１０３の撮像画像データまたは第２バッファ１０６撮像画像データを順次切り替えて出力する機構を有しており、居室親機は、信号分離回路３０２から所定の信号が出力されるタイミングに基づいてＡ／Ｄ変換部３０４から出力されるデータの出力先を切り替えることにより、撮像画像データごとに出力先を切り替えるための機構を有している。【選択図】図２
2012015856.tif 000002
【特許請求の範囲】
【請求項１】
住宅のエントランスに設置され、来訪者を撮像するためのカメラおよび居住者を呼び出す機能を備えた玄関子機と、前記エントランスに設置され、来訪者を撮像するための一つ以上のエントランスカメラと、前記住宅内に設置され、前記玄関子機からの呼び出しに応答する機能およびモニタを備えた居室親機と、を有する住宅インターホンシステムにおいて、
前記玄関子機は、
前記カメラにより撮像されたデータである第１撮像画像データをＡ／Ｄ変換する第１データ変換手段と、
前記一つ以上のエントランスカメラにより撮像されたデータである第Ｎ撮像画像データ（Ｎは２以上の整数）をＡ／Ｄ変換する第Ｎデータ変換手段と、
前記第１データ変換手段によりＡ／Ｄ変換された第１撮像画像データをバッファするための第１バッファと、
前記第Ｎデータ変換手段によりＡ／Ｄ変換された第Ｎ撮像画像データをバッファするための第Ｎバッファと、
前記カメラの出力に含まれる所定の信号が前記カメラから出力されるタイミングに基づいて、前記第１バッファの前記Ａ／Ｄ変換された第１撮像画像データまたは第Ｎバッファの前記Ａ／Ｄ変換された第Ｎ撮像画像データを順次切り替えて出力する切り替え手段と、
前記切り替え手段から出力されたデータをＤ／Ａ変換するＤ／Ａデータ変換手段と、
前記Ｄ／Ａデータ変換手段から出力されるデータを前記居室親機に送信することができるデータ送受信手段と、を有する、
住宅インターホンシステム。
【請求項２】
住宅のエントランスに設置され、来訪者を撮像するためのカメラおよび居住者を呼び出す機能を備えた玄関子機と、前記エントランスに設置され、来訪者を撮像するためのカメラを有する一つ以上のエントランスカメラと、前記住宅内に設置され、前記玄関子機からの呼び出しに応答する機能およびモニタを備えた居室親機と、を有する住宅インターホンシステムにおいて、
前記エントランスカメラのうちの一つは、
前記カメラにより撮像されたデータである第１撮像画像データをＡ／Ｄ変換する第１データ変換手段と、
前記玄関子機のカメラまたは他のエントランスカメラにより撮像されたデータである第Ｎ撮像画像データ（Ｎは２以上の整数）をＡ／Ｄ変換する第Ｎデータ変換手段と、
前記第１データ変換手段によりＡ／Ｄ変換された第１撮像画像データをバッファするための第１バッファと、
前記第Ｎデータ変換手段によりＡ／Ｄ変換された第Ｎ撮像画像データをバッファするための第Ｎバッファと、
前記カメラの出力に含まれる所定の信号が前記カメラから出力されるタイミングに基づいて、前記第１バッファの前記Ａ／Ｄ変換された第１撮像画像データまたは第Ｎバッファの前記Ａ／Ｄ変換された第Ｎ撮像画像データを順次切り替えて出力する切り替え手段と、
前記切り替え手段から出力されたデータをＤ／Ａ変換するＤ／Ａデータ変換手段と、
前記Ｄ／Ａデータ変換手段から出力されるデータを前記居室親機に送信することができるデータ送受信手段と、を有する、
住宅インターホンシステム。
【請求項３】
前記居室親機は、
前記玄関子機または前記エントランスカメラから送信されたデータを受信することができるデータ送受信手段と、
前記データ送受信手段により受信したデータから前記所定の信号を分離するための信号分離手段と、
前記データ送受信手段により受信したデータをＡ／Ｄ変換し、前記受信したデータを第１撮像画像データまたは第Ｎ撮像画像データにするデータ変換手段と、
前記信号分離手段から前記所定の信号が出力されるタイミングに基づいて前記データ変換手段から出力されるデータの出力先を切り替えることにより、撮像画像データごとに出力先を切り替えるための出力先切り替え手段と、
前記出力先切り替え手段から出力された前記第１撮像画像データをバッファするための第１バッファと、
前記出力先切り替え手段から出力された前記第Ｎ撮像画像データをバッファするための第Ｎバッファと、
前記モニタに、前記第１バッファの前記第１撮像画像データないし前記第Ｎバッファの前記第Ｎ撮像画像データの少なくとも二つ以上が同時に表示されるように制御することができる表示制御手段と、を有する、
請求項１または２記載の住宅インターホンシステム。
【請求項４】
前記玄関子機は、集合住宅のエントランスに設置される集合玄関機であり、
前記居室親機は、前記集合住宅の各住戸に設置されており、
前記住宅インターホンシステムは、前記集合玄関機、前記一つ以上のエントランスカメラおよび前記居室親機を制御する制御装置をさらに有しており、
前記集合玄関機または前記エントランスカメラの前記データ送受信手段は、前記Ｄ／Ａデータ変換手段から出力される信号を前記制御装置に出力する構成となっており、
前記制御装置は、前記集合玄関機または前記エントランスカメラの前記データ送受信手段から受信した信号を送信先となる所定の居室親機に送信することにより、前記Ｄ／Ａデータ変換手段から出力される信号を前記集合玄関機または前記エントランスカメラから前記所定の居室親機に出力する構成となっている、
請求項１ないし３のいずれかの項記載の住宅インターホンシステム。
【請求項５】
前記所定の信号は、前記カメラが出力するフィールド信号または垂直同期信号である、
請求項１ないし４のいずれかの項記載の住宅インターホンシステム。
【請求項６】
前記居室親機は、前記第１バッファないし前記第Ｎバッファの少なくとも一つのデータをリサイズするリサイザをさらに有する、
請求項１ないし５のいずれかの項記載の住宅インターホンシステム。
【請求項７】
前記居室親機は、前記モニタの表示を切り替えるための表示切り替えボタンをさらに有しており、
前記表示制御手段は、前記表示切り替えボタンを操作する度に、前記モニタに表示される画像データを変更する、
請求項１ないし６のいずれかの項記載の住宅インターホンシステム。
【発明の詳細な説明】
【技術分野】
【０００１】
本発明は、住宅インターホンシステムに関し、特に、玄関子機の撮像画像データと、エントランスカメラの撮像画像データとを居室親機のモニタに表示することができる住宅インターホンシステムに関する。
【背景技術】
【０００２】
従来、図６に示すような構成の住宅インターホンシステム１００が知られている。
この住宅インターホンシステム１００は、玄関子機１２０と、エントランスカメラ１３０と、この玄関子機１２０またはエントランスカメラ１３０から伝送された画像データを受信し、受信した画像データをモニタ１４３に映すことができる居室親機１４０とを有している。
玄関子機１２０は居住者を呼び出すために用いられ、主に住戸の玄関Ｓに設置される。また、エントランスカメラ１３０も住戸のエントランスＳに設置される。居室親機１４０は玄関子機１２０からの呼び出しに応答するために用いられ、その住戸内Ｔに設置される。
【０００３】
この住宅インターホンシステム１００の玄関子機１２０は、来訪者を撮像するカメラ１２１と、このカメラ１２１で撮像された撮像画像データを居室親機１４０に伝送する伝送部１２２と、図示しない呼出ボタンとを有している。エントランスカメラ１３０は、来訪者を撮像するカメラ１３１と、このカメラ１３１で撮像された撮像画像データを居室親機１４０に伝送する伝送部１３２とを有している。居室親機１４０は、玄関子機１２０の伝送部１２２から送信された撮像画像データを受信する第１の伝送部１４１と、エントランスカメラ１３０の伝送部１４２から送信された撮像画像データを受信する第２の伝送部１４２と、これらの第１の伝送部１４１または第２の伝送部１４２で受信した撮像画像データを表示するモニタ１４３と、居室親機１４０の呼出制御およびモニタ１４３に表示する撮像画像データの切替制御を行う制御部１４４と、図示しない通話ボタンと映像切り替えボタンとを有している。玄関子機１２０と居室親機１４０とは伝送線路Ｌ１１で、エントランスカメラ１３０と居室親機１４０とは伝送線路Ｌ１２でそれぞれ接続されている。
【０００４】
このような構成の住宅インターホンシステム１００では、来訪者が玄関子機１２０の図示しない呼び出しボタンを押下した場合、居室親機１４０が呼出状態となるとともに玄関子機１２０のカメラ１２１およびエントランスカメラ１３０のカメラ１３１による撮像が開始され、居室親機１４０のモニタ１４３に、玄関子機１２０のカメラ１２１により撮像された撮像画像データまたはエントランスカメラ１３０のカメラ１３１により撮像された撮像画像データのいずれか一方が表示されるようになっている。
そして、居室親機１４０が呼出状態にある間に、居住者が居室親機１４０の図示しない通話ボタンを押下し応答すると、玄関子機１２０と居室親機１４０との間が通話状態となる。
この通話状態において、居住者が居室親機１４０の図示しない映像切り替えボタンを押下した場合、制御部１４４は、居室親機１４０のモニタ１４３に表示される撮像画像データを玄関子機１２０のカメラ１２１により撮像された撮像画像データからエントランスカメラ１３０のカメラ１３１により撮像された撮像画像データに、またはエントランスカメラ１３０のカメラ１３１により撮像された撮像画像データから玄関子機１２０のカメラ１２１により撮像された撮像画像データに切り替える制御を実行する。これにより、居住者が図示しない映像切り替えボタンを押下する度に異なるカメラの撮像画像データがモニタ１４３に表示されるようになっている。
【０００５】
また、従来、図７に示すような構成の集合住宅インターホンシステム２００が知られている。
この集合住宅インターホンシステム２００はマンション等の集合住宅で用いられるものであり、集合玄関機２２０と、エントランスカメラ２３０と、制御装置２５０から伝送された画像データを受信し、受信した画像データをモニタ２４２に映すことができる居室親機２４０と、居室親機２４０の呼出制御および居室親機２４０に送信する撮像画像データの切替制御を行う制御装置２５０とを有している。
集合玄関機２２０は居住者を呼び出すために用いられ、主にマンションのエントランスＰに設置される。また、エントランスカメラ２３０もマンションのエントランスＰに設置される。居室親機２４０は集合玄関機２２０からの呼び出しに応答するために用いられ、マンションの各住戸内Ｒに設置される。制御装置２５０は、マンションの共用部Ｑに設置される。
【０００６】
この集合住宅インターホンシステム２００の集合玄関機２２０は、来訪者を撮像するカメラ２２１と、このカメラ２２１で撮像された撮像画像データを制御装置２５０に伝送する伝送部２２２と、図示しない呼出ボタンとを有している。エントランスカメラ２３０は、来訪者を撮像するカメラ２３１と、このカメラ２３１で撮像された撮像画像データを制御装置２５０に伝送する伝送部２３２とを有している。
制御装置２５０は、集合玄関機２２０の伝送部２２２から送信された撮像画像データを受信する第１の伝送部２５１と、エントランスカメラ２３０の伝送部２３２から送信された撮像画像データを受信する第２の伝送部２５２と、所定の居室親機２４０の呼出制御および該居室親機２４０に送信する撮像画像データの切替制御を行う制御部２５４と、集合玄関機２２０の伝送部２２２から送信された撮像画像データまたはエントランスカメラ２３０の伝送部２２２から送信された撮像画像データのいずれか一方を送信先の居室親機２４０に送信する第３の伝送部２５３とを有している。
居室親機２４０は、制御装置２５０から送信された撮像画像データを受信する伝送部２４１と、伝送部２４１で受信した撮像画像データを表示するモニタ２４２と、図示しない通話ボタンと映像切り替えボタンとを有している。集合玄関機２２０と制御装置２５０とは伝送線路Ｌ１３で、エントランスカメラ２３０と制御装置２５０とは伝送線路Ｌ１４で、制御装置２５０と居室親機２４０とは伝送線路Ｌ１５で、それぞれ接続されている。
【０００７】
このような構成の集合住宅インターホンシステム２００では、来訪者が集合玄関機２２０において訪問先の部屋番号を入力した場合、制御装置２５０の制御部２５４において呼出制御が実行され、来訪者から呼び出しを受けた所定の居室親機２４０が呼出状態となるとともに集合玄関機２２０のカメラ２２１およびエントランスカメラ２３０のカメラ２３１による撮像が開始され、該居室親機２４０のモニタ２４２に、集合玄関機２２０のカメラ２２１により撮像された撮像画像データまたはエントランスカメラ２３０のカメラ２３１により撮像された撮像画像データのいずれか一方が表示される。
そして、居室親機２４０が呼出状態にある間に、居住者が居室親機２４０の図示しない通話ボタンを押下し応答すると、集合玄関機２２０と居室親機２４０との間が通話状態となる。
この通話状態において、居住者が居室親機２４０の図示しない映像切り替えボタンを押下した場合、制御装置２５０は、第３の伝送部２５３から居室親機２４０に送信する撮像画像データを集合玄関機２２０のカメラ２２１により撮像された撮像画像データからエントランスカメラ２３０のカメラ２３１により撮像された撮像画像データに、またはエントランスカメラ２３０のカメラ２３１により撮像された撮像画像データから集合玄関子機２２０のカメラ２２１により撮像された撮像画像データに切り替える制御を実行する。これにより、居住者が図示しない映像切り替えボタンを押下する度に異なるカメラの撮像画像データがモニタ２４２に表示されるようになっている。
【先行技術文献】
【特許文献】
【０００８】
【特許文献１】特開平１１−１２７４３３号公報
【特許文献２】特開２０００−１０１７３１号公報
【特許文献３】特開２００４−１８００８６号公報
【０００９】
このように、住宅インターホンシステム１００または集合住宅インターホンシステム２００では、撮像画像データはアナログ信号で伝送され、居室親機で接続先を切り替えることによって所望のカメラとの間で伝送線路が形成され、伝送された撮像画像データがモニタに表示される構成となっている。そして、図示しない映像切り替えボタンを押下する度に異なるカメラとの間で伝送線路が形成され、順次、異なるカメラの撮像画像データがモニタ２４２に表示されるようになっている。
しかしながら、これらの住宅インターホンシステム１００または集合住宅インターホンシステム２００は、居室親機で接続先を切り替えることにより一つの伝送線路が形成される構成となっているため、居室親機１４０，２４０のモニタ１４３，２４２には一つのカメラの撮像画像データしか表示することができず、他のカメラの撮像画像データを確認するには居住者の操作によりモニタに表示される撮像画像データを切り替える必要があった。一方、居室親機のモニタに複数のカメラの撮像画像データを同時に表示することができれば、切り替え操作を行うことなく複数のカメラの撮像画像データを確認することができ、利便性が高い。
【発明の概要】
【発明が解決しようとする課題】
【００１０】
本発明は、以上のような点に着眼してなされたものであり、複数のカメラの撮像画像データ（アナログ信号）を一つの伝送線路で送信することができ、居室親機のモニタに容易に複数のカメラの撮像画像データを同時に表示することができる住宅インターホンシステムを提供することを課題とする。
【課題を解決するための手段】
【００１１】
上記課題を解決するために、本願発明者は、以下のような住宅インターホンシステムを提案する。
【００１２】
本発明の住宅インターホンシステムは、住宅のエントランスに設置され、来訪者を撮像するためのカメラおよび居住者を呼び出す機能を備えた玄関子機と、前記エントランスに設置され、来訪者を撮像するための一つ以上のエントランスカメラと、前記住宅内に設置され、前記玄関子機からの呼び出しに応答する機能およびモニタを備えた居室親機と、を有する。
この玄関子機は、前記カメラにより撮像されたデータである第１撮像画像データをＡ／Ｄ変換する第１データ変換手段と、前記一つ以上のエントランスカメラにより撮像されたデータである第Ｎ撮像画像データ（Ｎは２以上の整数）をＡ／Ｄ変換する第Ｎデータ変換手段と、前記第１データ変換手段によりＡ／Ｄ変換された第１撮像画像データをバッファするための第１バッファと、前記第Ｎデータ変換手段によりＡ／Ｄ変換された第Ｎ撮像画像データをバッファするための第Ｎバッファと、前記カメラの出力に含まれる所定の信号が前記カメラから出力されるタイミングに基づいて、前記第１バッファの前記Ａ／Ｄ変換された第１撮像画像データまたは第Ｎバッファの前記Ａ／Ｄ変換された第Ｎ撮像画像データを順次切り替えて出力する切り替え手段と、前記切り替え手段から出力されたデータをＤ／Ａ変換するＤ／Ａデータ変換手段と、前記Ｄ／Ａデータ変換手段から出力されるデータを前記居室親機に送信することができるデータ送受信手段と、を有する。
このような構成の住宅インターホンシステムによれば、一つの伝送線路により玄関子機から居室親機に複数のカメラの撮像画像データを所定の順序で送信することができる。
ここで、「所定の順序で送信」とは、複数のカメラの撮像画像データを一定の規則性がある順序で送信すればどのような順序で送信するようにしてもよく、例えば複数のカメラの撮像画像データを交互に送信することがあげられる。
【００１３】
また、本発明の提供する他の住宅インターホンシステムは、住宅のエントランスに設置され、来訪者を撮像するためのカメラおよび居住者を呼び出す機能を備えた玄関子機と、前記エントランスに設置され、来訪者を撮像するためのカメラを有する一つ以上のエントランスカメラと、前記住宅内に設置され、前記玄関子機からの呼び出しに応答する機能およびモニタを備えた居室親機と、を有する。
この住宅インターホンシステムのエントランスカメラのうちの一つは、前記カメラにより撮像されたデータである第１撮像画像データをＡ／Ｄ変換する第１データ変換手段と、前記玄関子機のカメラまたは他のエントランスカメラにより撮像されたデータである第Ｎ撮像画像データ（Ｎは２以上の整数）をＡ／Ｄ変換する第Ｎデータ変換手段と、前記第１データ変換手段によりＡ／Ｄ変換された第１撮像画像データをバッファするための第１バッファと、前記第Ｎデータ変換手段によりＡ／Ｄ変換された第Ｎ撮像画像データをバッファするための第Ｎバッファと、前記カメラの出力に含まれる所定の信号が前記カメラから出力されるタイミングに基づいて、前記第１バッファの前記Ａ／Ｄ変換された第１撮像画像データまたは第Ｎバッファの前記Ａ／Ｄ変換された第Ｎ撮像画像データを順次切り替えて出力する切り替え手段と、前記切り替え手段から出力されたデータをＤ／Ａ変換するＤ／Ａデータ変換手段と、前記Ｄ／Ａデータ変換手段から出力されるデータを前記居室親機に送信することができるデータ送受信手段と、を有している。
このような構成の住宅インターホンシステムにおいても、上述の住宅インターホンシステムと同様、一つの伝送線路により玄関子機から居室親機に複数のカメラの撮像画像データを所定の順序で送信することができる。
【００１４】
ここで「カメラの出力に含まれる所定の信号」は、カメラから一定の間隔で出力される信号であればよく、具体的にはカメラが出力するフィールド信号または垂直同期信号を使用することができる。
例えば所定の信号としてカメラが出力するフィールド信号を使用する場合、玄関子機またはエントランスカメラの切り替え手段は、カメラから偶数フィールド信号が出力された場合は第１バッファの第１撮像画像データまたは第２バッファの第２撮像画像データのいずれか一方を、カメラから奇数フィールド信号が出力された場合は第１バッファの第１撮像画像データまたは第２バッファの第２撮像画像データのいずれか他方を出力するような構成とすることができる。
フィールド信号を使用すると、垂直同期信号を使用する場合と比べて回路構成が簡単となる一方、画質は大きく劣化する。反対に、垂直同期信号を使用すると、フィールド信号を使用する場合と比べて回路構成が複雑となる一方、画質の劣化は少ない。
【００１５】
前記居室親機は、前記玄関子機または前記エントランスカメラから送信されたデータを受信することができるデータ送受信手段と、前記データ送受信手段により受信したデータから前記所定の信号を分離するための信号分離手段と、前記データ送受信手段により受信したデータをＡ／Ｄ変換し、前記受信したデータを第１撮像画像データまたは第Ｎ撮像画像データにするデータ変換手段と、前記信号分離手段から前記所定の信号が出力されるタイミングに基づいて前記データ変換手段から出力されるデータの出力先を切り替えることにより、撮像画像データごとに出力先を切り替えるための出力先切り替え手段と、前記出力先切り替え手段から出力された前記第１撮像画像データをバッファするための第１バッファと、前記出力先切り替え手段から出力された前記第Ｎ撮像画像データをバッファするための第Ｎバッファと、前記モニタに、前記第１バッファの前記第１撮像画像データないし前記第Ｎバッファの前記第Ｎ撮像画像データの少なくとも二つ以上が同時に表示されるように制御することができる表示制御手段と、を有する構成とすることができる。
このような構成の住宅インターホンシステムによれば、出力先切り替え手段により、信号分離手段から所定の信号が出力されるタイミングに基づいてデータ変換手段から出力されるデータの出力先が切り替わるようになっているため、第１バッファの第１撮像画像データないし第Ｎバッファの第Ｎ撮像画像データの少なくとも二つ以上を容易にモニタに同時に表示することができ、居住者は一度に複数のカメラの撮像画像データを確認することができるようになる。これにより、他のカメラの撮像画像データを確認するためにモニタに表示される撮像画像データを切り替える操作を居住者が行う必要がなく、利便性が高い。
【００１６】
上述した本発明の住宅インターホンシステムは、マンション等で使用される集合住宅インターホンシステムとしても使用することができる。
このような集合住宅インターホンシステムとして使用する場合、住宅インターホンシステムは以下のように構成することができる。
このシステムの玄関子機は、集合住宅のエントランスに設置される集合玄関機であり、前記居室親機は、前記集合住宅の各住戸に設置されており、前記住宅インターホンシステムは、前記集合玄関機、前記一つ以上のエントランスカメラおよび前記居室親機を制御する制御装置をさらに有しており、前記集合玄関機または前記エントランスカメラの前記データ送受信手段は、前記Ｄ／Ａデータ変換手段から出力される信号を前記制御装置に出力する構成となっており、前記制御装置は、前記集合玄関機の前記データ送受信手段から受信した信号を送信先となる所定の居室親機に送信することにより、前記Ｄ／Ａデータ変換手段から出力される信号を前記集合玄関機または前記エントランスカメラから前記所定の居室親機に出力する構成とすることができる。
【００１７】
前記居室親機は、前記第１バッファないし前記第Ｎバッファの少なくとも一つのデータをリサイズするリサイザをさらに有していてもよい。
このようなリサイザを有していれば、同時に表示される撮像画像データの大きさをカメラ毎に変えることができ、設定によって居住者の好みに合わせた表示とすることができる。具体的には、例えばカメラにより撮像された撮像画像データを大きく表示させ、エントランスカメラにより撮像された撮像画像データを小さく表示させることができる。
【００１８】
前記居室親機は、前記モニタの表示を切り替えるための表示切り替えボタンをさらに有しており、前記表示制御手段は、前記表示切り替えボタンを操作する度に、前記モニタに表示される画像データを変更するような構成としてもよい。
すなわち、このような構成の住宅インターホンシステムによれば、モニタに第１撮像画像データおよび第Ｎ撮像画像データを同時に表示させるだけでなく、表示切り替えボタンを押下することにより、モニタに第１撮像画像データのみを表示させたり、第Ｎ撮像画像データのみを表示させたり順次表示を切り替えることができ、利便性が高い。
【発明の効果】
【００１９】
本発明によれば、複数のカメラの撮像画像データ（アナログ信号）を一つの伝送線路で送信することができ、居室親機のモニタに容易に複数のカメラの撮像画像データを同時に表示することができる。
【図面の簡単な説明】
【００２０】
【図１】本発明の第１実施形態の住宅インターホンシステムの全体構成を示す図。
【図２】本発明の第１実施形態の住宅インターホンシステムの構成を示すブロック図。
【図３】本発明の第２実施形態の集合住宅インターホンシステムの全体構成を示す図。
【図４】本発明の第２実施形態の集合住宅インターホンシステムの構成を示すブロック図。
【図５】本発明の住宅インターホンシステムまたは集合住宅インターホンシステムの変形例を示す図。
【図６】従来の住宅インターホンシステムの全体構成を示す図。
【図７】従来の集合住宅インターホンシステムの構成を示すブロック図。
【発明を実施するための形態】
【００２１】
以下、本発明の住宅インターホンシステムの好ましい実施形態を、図面を参照しながら詳細に説明する。
【００２２】
＜第１実施形態＞
第１実施形態による住宅インターホンシステム１は、概略で図１および図２に示したように構成される。
すなわち、本実施形態の住宅インターホンシステム１は、住宅のエントランスＡに設置され、来訪者が居住者の呼出操作を行うための呼出ボタン１１を備える玄関子機１０と、玄関子機１０に接続されているエントランスカメラ２０と、住戸内Ｂに設置され、玄関子機１０からの呼び出しに応答する通話ボタン３１、表示切り替えボタン３２およびモニタ３１０を備える居室親機３０とを有している。
玄関子機１０とエントランスカメラ２０とは伝送線路Ｌ１、玄関子機１０と居室親機３０とは伝送線路Ｌ２を介して接続されている。
【００２３】
玄関子機１０は、図２に示すように、カメラ１０１により撮像されたデータである第１撮像画像データをアナログデータからデジタルデータに変換（Ａ／Ｄ変換）する第１Ａ／Ｄ変換部１０２と、この第１Ａ／Ｄ変換部１０２によりＡ／Ｄ変換された第１撮像画像データをバッファするための第１バッファ１０３と、エントランスカメラ２０により撮像されたデータである第２撮像画像データをエントランスカメラ２０から受信する第１の伝送部１０４と、この第２撮像画像データをＡ／Ｄ変換する第２Ａ／Ｄ変換部１０５と、この第２Ａ／Ｄ変換部１０５によりＡ／Ｄ変換された第２撮像画像データをバッファするための第２バッファ１０６と、カメラ１０１の出力に含まれる所定の信号に基づいてタイミングを生成するタイミング発生回路１０７と、このタイミング発生回路１０７により生成されるタイミングに基づいて第１バッファ１０３のＡ／Ｄ変換された第１撮像画像データまたは第２バッファ１０６のＡ／Ｄ変換された第２撮像画像データを順次切り替えて出力するマルチプレクサ１０８と、マルチプレクサ１０８から出力されたデータをデジタルデータからアナログデータに変換（Ｄ／Ａ変換）するＤ／Ａ変換部１０９と、このＤ／Ａ変換部１０９から出力されるデータ（アナログ信号）を居室親機３０に送信することができる第２の伝送部１１０とを有している。
【００２４】
エントランスカメラ２０は、エントランスに取り付けられた来訪者を撮像するためのカメラであり、図２に示すように、来訪者を撮像するためのカメラ２０１と、このカメラ２０１により撮像されたデータである第２撮像画像データを伝送線路Ｌ１を介して玄関子機１０に送信する伝送部２０２とを有している。このエントランスカメラ２０は、玄関子機１０の制御に基づいて動作するように構成されている。
【００２５】
居室親機３０は、図２に示すように、玄関子機１０の第２の伝送部１１０から送信されたデータ（アナログ信号）を伝送線路Ｌ２を介して受信する伝送部３０１と、伝送部３０１により受信したデータから所定の信号を分離するための同期分離回路３０２と、この同期分離回路３０２から所定の信号が出力されるタイミングに基づいてタイミングを生成するタイミング発生回路３０３と、伝送部３０１により受信したデータをＡ／Ｄ変換し、受信したデータをアナログデータからデジタルデータに変換するＡ／Ｄ変換部３０４と、タイミング発生回路３０３により生成されるタイミングに基づいてＡ／Ｄ変換部３０４から出力されるデータの出力先を切り替えるマルチプレクサ３０５と、マルチプレクサ３０５から出力されたデータをバッファするための第１バッファ３０６および第２バッファ３０７と、第２バッファ３０７のデータをリサイズ（拡大または縮小）するリサイザ３０８と、表示制御部３０９と、モニタ３１０とを有している。
その他、玄関子機１０および居室親機３０が通話に必要な音声回路や映像回路等を備えていることは従来のインターホンシステムと同様であるので、これらについての説明は省略する。
【００２６】
次に、以上のように構成された住宅インターホンシステム１の動作、具体的には、来訪者が玄関子機１０の呼び出しボタン１１を押下した場合の動作について、説明する。
【００２７】
来訪者が玄関子機１０の呼び出しボタン１１を押下した場合、居室親機３０が呼出状態となるとともに、玄関子機１０の制御のもと、玄関子機１０のカメラ１０１およびエントランスカメラ２０のカメラ２０１による撮像が開始される。
カメラ１０１により撮像されたデータである第１撮像画像データは、第１Ａ／Ｄ変換部１０２によりＡ／Ｄ変換され、第１バッファ１０３にバッファされる。また、カメラ１０１により撮像されたデータはタイミング発生回路１０７にも入力される。タイミング発生回路１０７は、カメラ１０１に含まれるフィールド信号に基づいてタイミングを生成する。
また、エントランスカメラ２０のカメラ２０１により撮像されたデータである第２撮像画像データは、伝送部２０２から伝送線路Ｌ１を介して第１の伝送部１０４に送信され、第２Ａ／Ｄ変換部１０５によりＡ／Ｄ変換され、第２バッファ１０６にバッファされる。
第１バッファ１０３のＡ／Ｄ変換された第１撮像画像データまたは第２バッファ１０６のＡ／Ｄ変換された第２撮像画像データは、タイミング発生回路１０７が生成するタイミングに基づいてマルチプレクサ１０８から順次出力される。具体的には、本実施形態では、カメラ１０１から偶数フィールド信号が出力された場合はマルチプレクサ１０８から第１バッファ１０３のＡ／Ｄ変換された第１撮像画像データが出力され、カメラ１０１から奇数フィールド信号が出力された場合は第２バッファ１０６のＡ／Ｄ変換された第２撮像画像データが出力されるような構成となっており、これにより二種類の撮像画像データが交互に出力されることとなる。
マルチプレクサ１０８から出力されたデータはＤ／Ａ変換部１０９によりデジタルデータからアナログデータに変換（Ｄ／Ａ変換）され、第２の伝送部１１０から伝送線路Ｌ２を介して居室親機３０に送信される。
【００２８】
以上のようにして玄関子機１０の第２の伝送部１１０から送信されたデータ（アナログ信号）は、居室親機３０の伝送部３０１で受信される。
伝送部３０１により受信されたデータは、Ａ／Ｄ変換部３０４に入力され、Ａ／Ｄ変換される。また、伝送部３０１により受信されたデータは、同期分離回路３０２にも入力される。同期分離回路３０２は、伝送部３０１により受信されたデータからフィールド信号を分離し、タイミング発生回路３０３に送信する。タイミング発生回路３０３は、同期分離回路３０２から入力されたフィールド信号に基づいてタイミングを生成する。
Ａ／Ｄ変換部３０４によりＡ／Ｄ変換されたデータは、マルチプレクサ３０５により第１バッファ３０６または第２バッファ３０７のいずれかに振り分けられる。具体的には、本実施形態では、マルチプレクサ３０５は、同期分離回路３０２から偶数フィールド信号が出力された場合はＡ／Ｄ変換部３０４によりＡ／Ｄ変換されたデータを第１バッファ３０６に出力し、同期分離回路３０２から奇数フィールド信号が出力された場合はＡ／Ｄ変換部３０４によりＡ／Ｄ変換されたデータを第２バッファ３０７に出力する。すなわち、マルチプレクサ３０５は撮像画像データの種類ごとに出力先を切り替えるようになっており、第１撮像画像データは第１バッファ３０６に出力され、第２撮像画像データは第２バッファ３０７に出力されることとなる。第１バッファ３０６の第１撮像画像データは表示制御部３０９に入力され、第２バッファ３０７の第２撮像画像データはリサイザ３０８でリサイズされてから表示制御部３０９に入力される。
表示制御部３０９は、第１バッファ３０６の第１撮像画像データおよび第２バッファ３０７の第２撮像画像データがモニタ３１０に同時に表示されるように制御を行い、図１のように、モニタ３１０には、第１撮像画像データが大きく、第２撮像画像データが小さく同時に表示される。
【００２９】
居室親機３０が呼出状態にある間に、居住者が居室親機３０の通話ボタン３１を押下し応答すると、玄関子機１０と居室親機３０との間が通話状態となる。
居住者が、呼出状態またはこの通話状態において、居室親機３０の表示切り替えボタン３２を押下した場合、マルチプレクサ３０５および表示制御部３０９は、居室親機３０のモニタ３１０に表示される画像データを第１撮像画像データのみ、または第２撮像画像データのみに切り替える制御を実行する。これにより、居住者が表示切り替えボタン３２を押下する度に、第１撮像画像データおよび第２撮像画像データの同時表示、第１撮像画像データのみの表示、第２撮像画像データのみの表示、と順次表示される画像データが切り替わる。なお、第２撮像画像データのみを表示する場合は、マルチプレクサ３０５は、第２撮像画像データを第１バッファ３０６に出力するように出力先を切り替え、表示制御部３０９は、第１バッファ３０６の画像データを表示するような構成となっている。
【００３０】
このように、本実施形態の住宅インターホンシステム１によれば、一つの伝送線路により玄関子機１０から居室親機３０に複数のカメラ１０１，２０１の撮像画像データを送信することができる。
【００３１】
なお、本実施形態では、カメラ１０１から偶数フィールド信号が出力された場合はマルチプレクサ１０８から第１バッファ１０３のＡ／Ｄ変換された第１撮像画像データが出力され、カメラ１０１から奇数フィールド信号が出力された場合は第２バッファ１０６のＡ／Ｄ変換された第２撮像画像データが出力されるようになっており、玄関子機１０から居室親機３０に二種類の撮像画像データが交互に送信される構成となっているが、マルチプレクサ１０８は、カメラ１０１の出力に含まれる所定の信号がカメラ１０１から出力されるタイミングに基づいて、Ａ／Ｄ変換された第１撮像画像データまたは第２バッファのＡ／Ｄ変換された第２撮像画像データを順次切り替えて出力するようになっていればよい。
なお「所定の信号」とは、カメラ１０１の出力に含まれる、一定の間隔で出力される信号であればよく、カメラが出力するフィールド信号の代わりに垂直同期信号を使用してもよい。フィールド信号を使用すると垂直同期信号を使用する場合と比べて回路構成が簡単となる一方、画質は大きく劣化する。反対に、垂直同期信号を使用するとフィールド信号を使用する場合と比べて回路構成が複雑となる一方、画質の劣化は少ない。
【００３２】
また、玄関子機１０から居室親機３０に二種類の撮像画像データが交互に送信される構成とする必要はなく、複数のカメラの撮像画像データが所定の順序で送信されるようになっていればよい。すなわち、複数のカメラの撮像画像データを一定の規則性がある順序で送信するようになっていればどのような順序で送信するようにしてもよい。
また、本実施形態の住宅インターホンシステム１は、エントランスカメラ２０を一つ有しているものとして説明したが、これに限られず、複数有するような構成としてもよい。この場合、玄関子機１０のＡ／Ｄ変換部およびバッファの数は、追加されたエントランスカメラの数だけ追加されることとなる。
また、本実施形態の住宅インターホンシステム１は、同時に二つのカメラの撮像画像データを表示することができる構成となっているものとして記載したが、カメラが三つある場合、居室親機３０のバッファを三つにすれば、同時に三つのカメラの撮像画像データをモニタ３１０に表示することができる構成とすることができる。すなわち、居室親機３０のバッファの数を増やせば、最大そのバッファの数だけモニタ３１０に同時に表示することができる。
【００３３】
また、本実施形態の住宅インターホンシステム１によれば、マルチプレクサ３０５により撮像画像データの種類ごとに出力先が切り替わるようになっているため、居室親機３０のモニタ３１０に容易に複数のカメラ１０１，２０１の撮像画像データを同時に表示することができ、居住者は一度に複数のカメラの撮像画像データを確認することができるようになる。これにより、モニタ３１０に複数のカメラ１０１，２０１の撮像画像データを同時に表示することができるので、他のカメラの撮像画像データを確認するためにモニタに表示される撮像画像データを切り替える操作を居住者が行う必要がなく、利便性が高い。
【００３４】
また、居室親機３０は、第２バッファのデータをリサイズするリサイザ３０８を有しているので、モニタ３１０に同時に表示される撮像画像データの大きさをカメラ毎に変えることができ、設定によって居住者の好みに合わせた表示とすることができる。
なお、本実施形態では、玄関子機１０のカメラ１０１により撮像された撮像画像データを大きく表示させ、エントランスカメラ２０のカメラ２０１により撮像された撮像画像データを小さく表示させるような構成となっているものとして説明したが、これに限らず、玄関子機１０のカメラ１０１により撮像された撮像画像データを小さく表示させ、エントランスカメラ２０のカメラ２０１により撮像された撮像画像データを大きく表示させたり、両データを同じ大きさに表示させるような構成としてもよい。すなわち、第１バッファ３０６または第２バッファ３０７の少なくとも一つのデータをリサイズするリサイザを備える構成としてもよいし、このようなリサイザを備えない構成としてもよい。
【００３５】
また、居室親機３０は、表示切り替えボタン３２をさらに有しており、表示制御部３０９は、この表示切り替えボタン３２を操作する度にモニタ３１０に表示される撮像画像データを変更するような構成となっているので、モニタ３１０に第１撮像画像データおよび第２撮像画像データを同時に表示させるだけでなく、表示切り替えボタン３２を押下することにより、モニタ３１０に第１撮像画像データのみを表示させたり、第２撮像画像データのみを表示させたり順次表示を切り替えることができ、利便性が高い。
【００３６】
＜第２実施形態＞
第２実施形態による集合住宅インターホンシステム２は、概略で図３および図４に示したように構成される。この実施形態の集合住宅インターホンシステム２は、マンション等の集合住宅で使用されるインターホンシステムである点で、主に戸建て住宅で使用される第１実施形態の住宅インターホンシステム１と異なり、住宅インターホンシステム１にはない制御装置７０を有する点で異なる。
【００３７】
本実施形態のインターホンシステム２は、集合住宅のエントランスＣに設置され、来訪者が来訪先の居室番号等を入力して呼出操作を行うための操作部４１と、操作部４１にて入力された居室番号等が表示される表示部４２とを備える集合玄関機４０と、集合玄関機４０に接続されているエントランスカメラ５０と、各住戸内Ｅに設置され、集合玄関機４０からの呼び出しに応答する通話ボタン６１、表示切り替えボタン６２およびモニタ６１０を備える集合玄関機４０からの呼び出しに応答する機能を備えた複数の居室親機６０と、集合住宅の共用部Ｄに設置され、集合玄関機４０、エントランスカメラ５０および居室親機６０を制御する制御装置７０とを有している。
集合玄関機４０とエントランスカメラ５０とは伝送線路Ｌ３、集合玄関機４０と制御装置７０とは伝送線路Ｌ４、制御装置７０と居室親機６０とは伝送線路Ｌ５を介して接続されている。
【００３８】
集合玄関機４０は、図４に示すように、カメラ４０１により撮像されたデータである第１撮像画像データをアナログデータからデジタルデータに変換（Ａ／Ｄ変換）する第１Ａ／Ｄ変換部４０２と、この第１Ａ／Ｄ変換部４０２によりＡ／Ｄ変換された第１撮像画像データをバッファするための第１バッファ４０３と、エントランスカメラ５０により撮像されたデータである第２撮像画像データをエントランスカメラ５０から受信する第１の伝送部４０４と、この第２撮像画像データをＡ／Ｄ変換する第２Ａ／Ｄ変換部４０５と、この第２Ａ／Ｄ変換部４０５によりＡ／Ｄ変換された第２撮像画像データをバッファするための第２バッファ４０６と、カメラ４０１の出力に含まれる所定の信号に基づいてタイミングを生成するタイミング発生回路４０７と、このタイミング発生回路４０７により生成されるタイミングに基づいて第１バッファ４０３のＡ／Ｄ変換された第１撮像画像データまたは第２バッファ４０６のＡ／Ｄ変換された第２撮像画像データを順次切り替えて出力するマルチプレクサ４０８と、マルチプレクサ４０８から出力されたデータをデジタルデータからアナログデータに変換（Ｄ／Ａ変換）するＤ／Ａ変換部４０９と、このＤ／Ａ変換部４０９から出力されるデータ（アナログ信号）を制御装置７０に送信することができる第２の伝送部４１０とを有している。
この集合玄関機１０の構成は、第１実施形態の玄関子機１０の構成と基本的に同じであるが、Ｄ／Ａ変換部４０９から出力されるデータが第２の伝送部４１０から制御装置７０に送信される点で第１実施形態と異なる。
【００３９】
エントランスカメラ５０は、来訪者を撮像するためのエントランスに取り付けられたカメラであり、来訪者を撮像するためのカメラ５０１と、このカメラ５０１により撮像されたデータである第２撮像画像データを伝送線路Ｌ３を介して集合玄関機４０に送信する伝送部５０２とを有している。このエントランスカメラ５０は、集合玄関機４０の制御に基づいて動作するように構成されている。
このエントランスカメラ５０の構成は、第１実施形態のエントランスカメラ２０の構成と同じである。
【００４０】
制御装置７０は、集合玄関子機４０の第２の伝送部４１０から送信されたデータを受信することができる第１の伝送部７０１と、この第１の伝送部７０１で受信したデータを所定の宛先（所定の居室親機）に送信するための交換制御部７０２と、交換制御部７０２が出力したデータを、伝送線路Ｌ５を介して所定の居室親機に送信することができる第２の伝送部７０３とを有している。
【００４１】
居室親機６０は、制御装置７０の第２の伝送部７０３から送信されたデータ（アナログ信号）を伝送線路Ｌ５を介して受信する伝送部６０１と、伝送部６０１により受信したデータから所定の信号を分離するための同期分離回路６０２と、この同期分離回路６０２から所定の信号が出力されるタイミングに基づいてタイミングを生成するタイミング発生回路６０３と、伝送部６０１により受信したデータをＡ／Ｄ変換し、受信したデータをデジタルデータに変換するＡ／Ｄ変換部６０４と、タイミング発生回路６０３が生成するタイミングに基づいてＡ／Ｄ変換部６０４から出力されるデータの出力先を切り替えるマルチプレクサ６０５と、マルチプレクサ６０５から出力されたデータをバッファするための第１バッファ６０６および第２バッファ６０７と、第２バッファ６０７のデータをリサイズするリサイザ６０８と、表示制御部６０９と、モニタ６１０とを有している。
この居室親機６０の構成は、第１実施形態の居室親機３０の構成と基本的に同じであるが、伝送部６０１が制御装置７０の第２の伝送部７０３から送信されるデータを受信する点で、第１実施形態と異なる。
その他、集合玄関機４０、居室親機６０および制御装置７０が通話に必要な音声回路や映像回路等を備えていることは従来のインターホンシステムと同様であるので、これらについての説明は省略する。
【００４２】
次に、以上のように構成された集合住宅インターホンシステム２の動作、具体的には、来訪者が集合玄関機４０の操作部４１を操作して呼出操作を行った場合の動作について、説明する。
【００４３】
来訪者が集合玄関機４０の操作部４１を操作して呼出操作を行った場合、制御装置７０の制御に基づき、呼び出された所定の居室親機６０が呼出状態となるとともに、集合玄関機４０の制御のもと、集合玄関機４０のカメラ４０１およびエントランスカメラ５０のカメラ５０１による撮像が開始される。
カメラ４０１により撮像されたデータである第１撮像画像データは、第１Ａ／Ｄ変換部４０２によりＡ／Ｄ変換され、第１バッファ４０３にバッファされる。また、カメラ４０１により撮像されたデータはタイミング発生回路４０７にも入力される。タイミング発生回路４０７は、カメラ４０１に含まれるフィールド信号に基づいてタイミングを生成する。
また、エントランスカメラ５０のカメラ５０１により撮像されたデータである第２撮像画像データは、伝送部５０２から伝送線路Ｌ３を介して第１の伝送部４０４に送信され、第２Ａ／Ｄ変換部４０５によりＡ／Ｄ変換され、第２バッファ４０６にバッファされる。
第１バッファ４０３のＡ／Ｄ変換された第１撮像画像データまたは第２バッファ４０６のＡ／Ｄ変換された第２撮像画像データは、タイミング発生回路４０７が生成するタイミングに基づいてマルチプレクサ４０８から順次出力される。具体的には、本実施形態では、カメラ４０１から偶数フィールド信号が出力された場合は第１バッファ４０３のＡ／Ｄ変換された第１撮像画像データがマルチプレクサ４０８から出力され、カメラ４０１から奇数フィールド信号が出力された場合は第２バッファ４０６のＡ／Ｄ変換された第２撮像画像データが出力されるような構成となっており、これにより、二種類の撮像画像データが交互に出力されることとなる。
マルチプレクサ４０８から出力されたデータはＤ／Ａ変換部４０９によりＤ／Ａ変換され、第２の伝送部４１０から伝送線路Ｌ２を介して制御装置７０に送信される。
【００４４】
以上のようにして集合玄関機４０の第２の伝送部４１０から送信されたデータ（アナログ信号）は、制御装置７０の第１の伝送部７０１で受信される。この第１の伝送部７０１で受信したデータは交換制御部７０２に送信される。交換制御部７０２は、第１の伝送部７０１で受信したデータを呼び出された所定の居室親機６０に送信するための交換制御を行い、交換制御部７０２から出力されたデータは、第２の伝送部７０３から伝送線路Ｌ５を介して呼び出し先である所定の居室親機６０に送信される。
【００４５】
以上のようにして制御装置７０の第２の伝送部７０３から送信されたデータ（アナログ信号）は、居室親機６０の伝送部６０１で受信される。
伝送部６０１により受信されたデータは、Ａ／Ｄ変換部６０４に入力され、Ａ／Ｄ変換される。また、伝送部６０１により受信されたデータは、同期分離回路６０２にも入力される。同期分離回路６０２は、伝送部６０１により受信されたデータからフィールド信号を分離し、タイミング発生回路６０３に送信する。タイミング発生回路６０３は、同期分離回路６０２から入力されたフィールド信号に基づいてタイミングを生成する。
Ａ／Ｄ変換部６０４によりＡ／Ｄ変換されたデータは、マルチプレクサ６０５により第１バッファ６０６または第２バッファ６０７のいずれかに振り分けられる。具体的には、本実施形態では、マルチプレクサ６０５は、同期分離回路６０２から偶数フィールド信号が出力された場合はＡ／Ｄ変換部６０４によりＡ／Ｄ変換されたデータを第１バッファ６０６に出力し、同期分離回路６０２から奇数フィールド信号が出力された場合はＡ／Ｄ変換部６０４によりＡ／Ｄ変換されたデータを第２バッファ６０７に出力する。すなわち、マルチプレクサ６０５は撮像画像データの種類ごとに出力先を切り替えるようになっており、第１撮像画像データは第１バッファ６０６に出力され、第２撮像画像データは第２バッファ６０７に出力されることとなる。第１バッファ６０６の第１撮像画像データは表示制御部６０９に入力され、第２バッファ６０７の第２撮像画像データはリサイザ６０８でリサイズされてから表示制御部６０９に入力される。
表示制御部６０９は、第１バッファ６０６の第１撮像画像データおよび第２バッファ６０７の第２撮像画像データがモニタ６１０に同時に表示されるように制御を行い、図３のように、モニタ６１０には、第１撮像画像データが大きく、第２撮像画像データが小さく同時に表示される。
【００４６】
居室親機６０が呼出状態にある間に、居住者が居室親機６０の通話ボタン６１を押下し応答すると、玄関子機４０と居室親機６０との間が通話状態となる。
居住者が、呼出状態またはこの通話状態において、居室親機６０の表示切り替えボタン６２を押下した場合、マルチプレクサ６０５および表示制御部６０９は、居室親機６０のモニタ６１０に表示される画像データを第１撮像画像データのみ、または第２撮像画像データのみに切り替える制御を実行し、居住者が表示切り替えボタン６２を押下する度に、第１撮像画像データおよび第２撮像画像データの同時表示、第１撮像画像データのみの表示、第２撮像画像データのみの表示、と順次表示される画像データが切り替わる。なお、第２撮像画像データのみを表示する場合は、マルチプレクサ６０５は、第２撮像画像データを第１バッファ６０６に出力するように出力先を切り替え、表示制御部６０９は、第１バッファ６０６の画像データを表示するような構成となっている。
【００４７】
本実施形態の集合住宅インターホンシステム２によれば、第１実施形態と同様に、複数のカメラ４０１，５０１の撮像画像データ（アナログ信号）を一つの伝送線路Ｌ４で送信することができ、居室親機６０のモニタ６１０に、容易に複数のカメラ４０１，５０１の撮像画像データを同時に表示することができる。
その他、集合住宅インターホンシステム２においても、エントランスカメラ５０を複数有する構成としてもよい点等については、第１実施形態と同様である。
【００４８】
なお、以上の住宅インターホンシステム１および集合住宅インターホンシステム２のエントランスに設置される玄関子機（または集合玄関機）およびエントランスカメラは、図５に示すような構成となっていてもよい。
【００４９】
図５に示すように、エントランスＦに設置される玄関子機（または集合玄関機）８０は、来訪者を撮像するためのカメラ８０１と、このカメラ８０１により撮像されたデータである第２撮像画像データを伝送線路Ｌ６を介してエントランスカメラ９０に送信する伝送部８０２とを有している。
エントランスカメラ９０は、カメラ９０１により撮像されたデータである第１撮像画像データをＡ／Ｄ変換する第１Ａ／Ｄ変換部９０２と、この第１Ａ／Ｄ変換部９０２によりＡ／Ｄ変換された第１撮像画像データをバッファするための第１バッファ９０３と、玄関子機（または集合玄関機）８０の伝送部８０２から送信された第２撮像画像データを受信する第１の伝送部９０４と、この第２撮像画像データをＡ／Ｄ変換する第２Ａ／Ｄ変換部９０５と、この第２Ａ／Ｄ変換部９０５によりＡ／Ｄ変換された第２撮像画像データをバッファするための第２バッファ９０６と、カメラ９０１の出力に含まれる所定の信号に基づいてタイミングを生成するタイミング発生回路９０７と、このタイミング発生回路９０７により生成されるタイミングに基づいて第１バッファ９０３のＡ／Ｄ変換された第１撮像画像データまたは第２バッファ９０６のＡ／Ｄ変換された第２撮像画像データを順次切り替えて出力するマルチプレクサ９０８と、マルチプレクサ９０８から出力されたデータをＤ／Ａ変換するＤ／Ａ変換部９０９と、このＤ／Ａ変換部９０９から出力されるデータ（アナログ信号）を図示しない居室親機または制御装置に送信することができる第２の伝送部９１０とを有している。
【００５０】
このような構成の玄関子機（または集合玄関機）８０およびエントランスカメラ９０によっても、一つの伝送線路により玄関子機（または集合玄関機）８０から居室親機側に複数のカメラ８０１，９０１の撮像画像データを送信することができる。
【符号の説明】
【００５１】
１，１００・・住宅インターホンシステム、２，２００・・集合住宅インターホンシステム、１０，８０，１２０・・玄関子機、１１・・呼び出しボタン、２０，５０，９０，１３０，２３０・・エントランスカメラ、３０，６０，１４０，２４０・・居室親機、３１，６１・・通話ボタン、３２，６２・・表示切り替えボタン、４０，２２０・・集合玄関機、４１・・操作部、４２・・表示部、７０，２５０・・制御装置、１０１，１２１，１３１，２０１，２２１，２３１，４０１，５０１，８０１，９０１・・カメラ、１０２，１０５，３０４，４０２，４０５，６０４，９０２，９０５・・Ａ／Ｄ変換部（第Ｎデータ変換手段、データ変換手段）、１０３，１０６，３０６，３０７，４０３，４０６，６０６，６０７，９０３，９０６・・バッファ、１０４，１１０，１２２，１３２，１４１，１４２，２０２，２２２，２３２，２４１，２５１，２５２，２５３，３０１，４０４，４１０，５０２，６０１，７０１，７０３，８０２，９０４，９１０・・伝送部、１０７，３０３，４０７，６０３，９０７・・タイミング発生回路、１０８，３０５，４０８，６０５，９０８・・マルチプレクサ（切り替え手段、出力先切り替え手段）、１０９，４０９，９０９・・Ｄ／Ａ変換部（Ｄ／Ａデータ変換手段）、１４４，２５４・・制御部、３０２，６０２・・同期分離回路、３０８，６０８・・リサイザ、３０９，６０９・・表示制御部、１４３，２４２，３１０，６１０・・モニタ、７０２・・交換制御部、Ａ，Ｓ，Ｆ・・エントランス、Ｃ，Ｐ・・マンションのエントランス、Ｄ，Ｑ・・共用部、Ｂ，Ｅ，Ｔ，Ｒ・・住戸内。
【図１】
2012015856.tif 000003
【図２】
2012015856.tif 000004
【図３】
2012015856.tif 000005
【図４】
2012015856.tif 000006
【図５】
2012015856.tif 000007
【図６】
2012015856.tif 000008
【図７】
2012015856.tif 000009